(57)【要約】      （修正有）【課題】書写の美観度と便利度に影響をもたすことがなく、手動で筆跡消し液を塗る必要がない筆跡を早く消せるペンを提供する。【解決手段】筆跡を早く消せるペンは、ボディ１０を含み、ボディ１０の中にはペン溝４５が設置され、ペン溝４５の底端には下方に開口した回転チャンバ３２が連通するように設置され、ペン溝４５の左端には第一チャンバ５０が連通するように設置され、第一チャンバ５０の中には第一回転軸３５が回転可能に設置される。【選択図】図１
2020152092.tif 000002
【特許請求の範囲】
【請求項１】
正面視で、ボディを含み、前記ボディの中にはペン溝が設置され、前記ペン溝の底端には下方に開口した回転チャンバが連通するように設置され、前記ペン溝の左端には第一チャンバが連通するように設置され、前記第一チャンバの中には第一回転軸が回転可能に設置され、前記第一回転軸には第一傘歯車と第一転輪とが固定的に設置され、前記第一チャンバの左側には第二チャンバが設置され、前記第二チャンバの左端には駆動モータが固定的に設置され、前記駆動モータの左端にはスイッチが固定的に設置され、前記スイッチが前記駆動モータを制御でき、前記第一チャンバと前記第二チャンバとの間には第二回転軸が回転可能に設置され、前記第二回転軸と前記駆動モータとが伝動可能に連結され、前記第一チャンバの中の前記第二回転軸の末端には第二傘歯車が固定的に設置され、前記第二傘歯車と前記第一傘歯車とが噛み合っており、前記第二チャンバの中の前記第二回転軸には第一プーリが固定的に設置され、前記第二チャンバの底端には第三チャンバが連通するように設置され、前記第三チャンバと前記回転チャンバとが連通しており、前記第三チャンバの中には第三回転軸が回転可能に設置され、前記第三回転軸には円形歯車と第二プーリが固定的に設置され、前記第二プーリと前記第一プーリとの間にはベルトが伝動可能に設置され、前記回転チャンバの中には回転ブロックが回転可能に設置され、前記回転ブロックの中心のところには上下に貫通した通し溝が設置され、前記回転ブロックの頂端にはリングギアが固定的に設置され、前記リングギアと前記円形歯車とが噛み合っており、前記回転チャンバの頂端には第一環状導電ブロックが固定的に設置され、前記第一環状導電ブロックが前記リングギアの中に位置しており、前記回転ブロックには電磁石が左右対称に設置され、前記電磁石の底端には下方に開口した斜溝が設置され、前記斜溝の中には第一スライダーがスライド可能に設置され、前記第一スライダーの頂端には永久磁石が固定的に設置され、前記永久磁石と前記斜溝の頂壁との間には第一ばねが固定的に連結され、前記第一スライダーの底端にはブラシが固定的に設置され、前記第一スライダーの中には下方に開口した第一液体案内溝が設置され、前記第一液体案内溝と上方に開口した第一貫穴とが連通しており、前記回転ブロックの中には上方に開口した第二液体案内溝が設置され、前記第二液体案内溝が前記斜溝と連通しており、前記第二液体案内溝が前記電磁石の内側に位置しており、
前記第一傘歯車が前記第一転輪を回転連動させ、前記電磁石が前記ブラシを押し出し、前記ブラシが前記回転ブロックの回転によって回転して筆跡を消すことを特徴とする筆跡を早く消せるペン。
【請求項２】
前記ペン溝の右端には第一スライド溝が連通するように設置され、前記第一スライド溝の中には第二スライダーがスライド可能に設置され、前記第二スライダーと前記第一スライド溝の右側端面との間には第二ばねが固定的に連結され、前記第二スライダーには左方に開口した溝が設置され、前記溝の中には第四回転軸が回転可能に設置され、前記第四回転軸には第二転輪が固定的に設置され、前記ペン溝の頂端にはスライド板がスライド可能に設置され、前記スライド板と前記ペン溝の頂面との間には第三ばねが固定的に連結され、前記第二転輪と前記第一転輪との間には替芯を挟持でき、前記替芯と前記スライド板の底面とが接触しており、前記替芯の底端にはスピリング受が固定的に設置され、前記通し溝の中には前記スピリング受の頂面と接触する第二環状導電ブロックがスライド可能に設置され、前記第二環状導電ブロックと前記スライド板との間には第四ばねが固定的に連結され、前記スピリング受の底端にはペン先が固定的に設置され、前記通し溝の左右には第二スライド溝が左右対称に連通するように設置され、前記第二スライド溝の中には円錐形ブロックがスライド可能に設置され、前記円錐形ブロックが前記ペン先を挟持でき、前記円錐形ブロックと前記第二スライド溝の左側端面との間には第五ばねが固定的に連結され、
前記スピリング受を上にスライドさせて前記電磁石に通電させ、前記ペン先が上にスライドして前記通し溝の中に収まることを特徴とする請求項１に記載の筆跡を早く消せるペン。
【請求項３】
前記ボディの右端には上方に開口した第四チャンバが設置され、前記第四チャンバの中に筆跡消し瓶を挿入でき、前記筆跡消し瓶の中は筆跡消し液を含み、前記第四チャンバと前記回転チャンバとの間には液体入り溝が連通するように設置され、前記第一環状導電ブロックの右端には第二貫穴が上下に貫通するように設置され、前記第二貫穴が前記液体入り溝と前記第二液体案内溝とを連通し、
前記筆跡消し液が前記液体入り溝と前記第二貫穴を経由して前記回転ブロックの中に入ることを特徴とする請求項１に記載の筆跡を早く消せるペン。
【発明の詳細な説明】
【技術分野】
【０００１】
本発明はオフィス用品分野に関し、具体的には筆跡を早く消せるペンに関する。
【背景技術】
【０００２】
水性ボールペンで書く時、もし誤記があると修正液又は修正テープを使って修正する。しかしその両者を使うと書写の美観度と便利度に影響をもたらす一方、普通の消せるペンは筆跡を消す時手動で筆跡消し液を塗る必要があり、便利とは言えなく、そのため、早く筆跡を消せるペンをデザインする必要がある。
【先行技術文献】
【特許文献】
【０００３】
【特許文献１】中国特許出願公開第１０６２７４１６８号明細書
【発明の概要】
【発明が解決しようとする課題】
【０００４】
本発明の目的は筆跡を早く消せるペンを提供し、それは上記の現在の技術中の問題を解決できる。
【課題を解決するための手段】
【０００５】
上記の課題を解決するため、本発明は以下の技術プランを採用する：筆跡を早く消せるペンは、ボディを含み、前記ボディの中にはペン溝が設置され、前記ペン溝の底端には下方に開口した回転チャンバが連通するように設置され、前記ペン溝の左端には第一チャンバが連通するように設置され、前記第一チャンバの中には第一回転軸が回転可能に設置され、前記第一回転軸には第一傘歯車と第一転輪とが固定的に設置され、前記第一チャンバの左側には第二チャンバが設置され、前記第二チャンバの左端には駆動モータが固定的に設置され、前記駆動モータの左端にはスイッチが固定的に設置され、前記スイッチが前記駆動モータを制御でき、前記第一チャンバと前記第二チャンバとの間には第二回転軸が回転可能に設置され、前記第二回転軸と前記駆動モータとが伝動可能に連結され、前記第一チャンバの中の前記第二回転軸の末端には第二傘歯車が固定的に設置され、前記第二傘歯車と前記第一傘歯車とが噛み合っており、前記第二チャンバの中の前記第二回転軸には第一プーリが固定的に設置され、前記第二チャンバの底端には第三チャンバが連通するように設置され、前記第三チャンバと前記回転チャンバとが連通しており、前記第三チャンバの中には第三回転軸が回転可能に設置され、前記第三回転軸には円形歯車と第二プーリが固定的に設置され、前記第二プーリと前記第一プーリとの間にはベルトが伝動可能に設置され、前記回転チャンバの中には回転ブロックが回転可能に設置され、前記回転ブロックの中心のところには上下に貫通した通し溝が設置され、前記回転ブロックの頂端にはリングギアが固定的に設置され、前記リングギアと前記円形歯車とが噛み合っており、前記回転チャンバの頂端には第一環状導電ブロックが固定的に設置され、前記第一環状導電ブロックが前記リングギアの中に位置しており、前記回転ブロックには電磁石が左右対称に設置され、前記電磁石の底端には下方に開口した斜溝が設置され、前記斜溝の中には第一スライダーがスライド可能に設置され、前記第一スライダーの頂端には永久磁石が固定的に設置され、前記永久磁石と前記斜溝の頂壁との間には第一ばねが固定的に連結され、前記第一スライダーの底端にはブラシが固定的に設置され、前記第一スライダーの中には下方に開口した第一液体案内溝が設置され、前記第一液体案内溝と上方に開口した第一貫穴とが連通しており、前記回転ブロックの中には上方に開口した第二液体案内溝が設置され、前記第二液体案内溝が前記斜溝と連通しており、前記第二液体案内溝が前記電磁石の内側に位置している。
【０００６】
優選的には、前記ペン溝の右端には第一スライド溝が連通するように設置され、前記第一スライド溝の中には第二スライダーがスライド可能に設置され、前記第二スライダーと前記第一スライド溝の右側端面との間には第二ばねが固定的に連結され、前記第二スライダーには左方に開口した溝が設置され、前記溝の中には第四回転軸が回転可能に設置され、前記第四回転軸には第二転輪が固定的に設置され、前記ペン溝の頂端にはスライド板がスライド可能に設置され、前記スライド板と前記ペン溝の頂面との間には第三ばねが固定的に連結され、前記第二転輪と前記第一転輪との間には替芯を挟持でき、前記替芯と前記スライド板の底面とが接触しており、前記替芯の底端にはスピリング受が固定的に設置され、前記通し溝の中には前記スピリング受の頂面と接触する第二環状導電ブロックがスライド可能に設置され、前記第二環状導電ブロックと前記スライド板との間には第四ばねが固定的に連結され、前記スピリング受の底端にはペン先が固定的に設置され、前記通し溝の左右には第二スライド溝が左右対称に連通するように設置され、前記第二スライド溝の中には円錐形ブロックがスライド可能に設置され、前記円錐形ブロックが前記ペン先を挟持でき、前記円錐形ブロックと前記第二スライド溝の左側端面との間には第五ばねが固定的に連結されている。
【０００７】
前記ボディの右端には上方に開口した第四チャンバが設置され、前記第四チャンバの中に筆跡消し瓶を挿入でき、前記筆跡消し瓶の中は筆跡消し液を含み、前記第四チャンバと前記回転チャンバとの間には液体入り溝が連通するように設置され、前記第一環状導電ブロックの右端には第二貫穴が上下に貫通するように設置され、前記第二貫穴が前記液体入り溝と前記第二液体案内溝とを連通している。
【発明の効果】
【０００８】
上記により、本発明の筆跡を早く消せるペンは簡単に操作でき、早くて便利であり、反応が速やかである同時に、簡潔で筆跡を消す効果がよく、実用度が高い。
【図面の簡単な説明】
【０００９】
下記に図１〜２をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の筆跡を早く消せるペンの全体構造略図
【図２】図２は図１のＡの拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜２の示すように、本発明の筆跡を早く消せるペンは、ボディ１０を含み、前記ボディ１０の中にはペン溝４５が設置され、前記ペン溝４５の底端には下方に開口した回転チャンバ３２が連通するように設置され、前記ペン溝４５の左端には第一チャンバ５０が連通するように設置され、前記第一チャンバ５０の中には第一回転軸３５が回転可能に設置され、前記第一回転軸３５には第一傘歯車４８と第一転輪３４とが固定的に設置され、前記第一チャンバ５０の左側には第二チャンバ１１が設置され、前記第二チャンバ１１の左端には駆動モータ１３が固定的に設置され、前記駆動モータ１３の左端にはスイッチ１２が固定的に設置され、前記スイッチ１２が前記駆動モータ１３を制御でき、前記第一チャンバ５０と前記第二チャンバ１１との間には第二回転軸１５が回転可能に設置され、前記第二回転軸１５と前記駆動モータ１３とが伝動可能に連結され、前記第一チャンバ５０の中の前記第二回転軸１５の末端には第二傘歯車４９が固定的に設置され、前記第二傘歯車４９と前記第一傘歯車４８とが噛み合っており、前記第二チャンバ１１の中の前記第二回転軸１５には第一プーリ１４が固定的に設置され、前記第二チャンバ１１の底端には第三チャンバ１７が連通するように設置され、前記第三チャンバ１７と前記回転チャンバ３２とが連通しており、前記第三チャンバ１７の中には第三回転軸１９が回転可能に設置され、前記第三回転軸１９には円形歯車１８と第二プーリ２１が固定的に設置され、前記第二プーリ２１と前記第一プーリ１４との間にはベルト１６が伝動可能に設置され、前記回転チャンバ３２の中には回転ブロック２０が回転可能に設置され、前記回転ブロック２０の中心のところには上下に貫通した通し溝２５が設置され、前記回転ブロック２０の頂端にはリングギア２２が固定的に設置され、前記リングギア２２と前記円形歯車１８とが噛み合っており、前記回転チャンバ３２の頂端には第一環状導電ブロック３０が固定的に設置され、前記第一環状導電ブロック３０が前記リングギア２２の中に位置しており、前記回転ブロック２０には電磁石２３が左右対称に設置され、前記電磁石２３の底端には下方に開口した斜溝５７が設置され、前記斜溝５７の中には第一スライダー５５がスライド可能に設置され、前記第一スライダー５５の頂端には永久磁石５２が固定的に設置され、前記永久磁石５２と前記斜溝５７の頂壁との間には第一ばね５１が固定的に連結され、前記第一スライダー５５の底端にはブラシ５６が固定的に設置され、前記第一スライダー５５の中には下方に開口した第一液体案内溝５４が設置され、前記第一液体案内溝５４と上方に開口した第一貫穴５３とが連通しており、前記回転ブロック２０の中には上方に開口した第二液体案内溝６１が設置され、前記第二液体案内溝６１が前記斜溝５７と連通しており、前記第二液体案内溝６１が前記電磁石２３の内側に位置しており、
前記第一傘歯車４８が前記第一転輪３４を回転連動させ、前記電磁石２３が前記ブラシ５を押し出し、前記ブラシ５が前記回転ブロック２０の回転によって回転して筆跡を消す。
【００１３】
有益的には、前記ペン溝４５の右端には第一スライド溝４１が連通するように設置され、前記第一スライド溝４１の中には第二スライダー３６がスライド可能に設置され、前記第二スライダー３６と前記第一スライド溝４１の右側端面との間には第二ばね４０が固定的に連結され、前記第二スライダー３６には左方に開口した溝３７が設置され、前記溝３７の中には第四回転軸３９が回転可能に設置され、前記第四回転軸３９には第二転輪３８が固定的に設置され、前記ペン溝４５の頂端にはスライド板４６がスライド可能に設置され、前記スライド板４６と前記ペン溝４５の頂面との間には第三ばね４７が固定的に連結され、前記第二転輪３８と前記第一転輪３４との間には替芯２７を挟持でき、前記替芯２７と前記スライド板４６の底面とが接触しており、前記替芯２７の底端にはスピリング受２６が固定的に設置され、前記通し溝２５の中には前記スピリング受２６の頂面と接触する第二環状導電ブロック２８がスライド可能に設置され、前記第二環状導電ブロック２８と前記スライド板４６との間には第四ばね２９が固定的に連結され、前記スピリング受２６の底端にはペン先２４が固定的に設置され、前記通し溝２５の左右には第二スライド溝５８が左右対称に連通するように設置され、前記第二スライド溝５８の中には円錐形ブロック５９がスライド可能に設置され、前記円錐形ブロック５９が前記ペン先２４を挟持でき、前記円錐形ブロック５９と前記第二スライド溝５８の左側端面との間には第五ばね６０が固定的に連結され、
前記スピリング受２６を上にスライドさせて前記電磁石２３に通電させ、前記ペン先２４が上にスライドして前記通し溝２５の中に収まる。
【００１４】
有益的には、前記ボディ１０の右端には上方に開口した第四チャンバ４２が設置され、前記第四チャンバ４２の中に筆跡消し瓶４３を挿入でき、前記筆跡消し瓶４３の中は筆跡消し液４４を含み、前記第四チャンバ４２と前記回転チャンバ３２との間には液体入り溝３３が連通するように設置され、前記第一環状導電ブロック３０の右端には第二貫穴３１が上下に貫通するように設置され、前記第二貫穴３１が前記液体入り溝３３と前記第二液体案内溝６１とを連通し、
前記筆跡消し液４４が前記液体入り溝３３と前記第二貫穴３１を経由して前記回転ブロック２０の中に入る。
【００１５】
下記、図１〜２及び上記の本発明の具体的な構成を合わせて使用方法を紹介する：
【００１６】
初期状態の時、リングギア２２が永久磁石５２を吸引し、第一貫穴５３が第二液体案内溝６１と連通していない。
【００１７】
本発明のペンを使って筆跡を消す前に、筆跡消し瓶４３を第四チャンバ４２の中に装着し、替芯２７をペン溝４５の中に挿入してスライド板４６と接触させ、第一環状導電ブロック３０と電磁石２３とが終始に接触する。
【００１８】
誤記があると、ボディ１０を少し上げ、スイッチ１２を押し、スイッチ１２が駆動モータ１３を起動し、駆動モータ１３が第二回転軸１５を旋転連動させ、第二回転軸１５が第二傘歯車４９と第一プーリ１４とを回転連動させ、第二傘歯車４９が第一傘歯車４８を回転連動させ、第一傘歯車４８が第一転輪３４を回転連動させ、第一転輪３４が回転して替芯２７を上にスライド連動させ、替芯２７がスピリング受２６とペン先２４とを上にスライド連動させ、この時ペン先が通し溝２５の中に納まり、スピリング受２６が第二環状導電ブロック２８を連動させて第一環状導電ブロック３０と接触させ、電磁石２３が電気回路を形成し、電磁石２３が通電して永久磁石５２に反発し、永久磁石５２が第一スライダー５５を下に連動させて斜溝５７から伸び出させ、第一貫穴５３が第二液体案内溝６１に連通し、筆跡消し液４４が第一貫穴５３を経由して第一液体案内溝５４の中に入り、ブラシ５６が筆跡消し液４４で濡れ、この時ブラシ５６が筆跡を消せる。
【００１９】
それと同時に、第一プーリ１４がベルト１６により第二プーリ２１を回転連動させ、第二プーリ２１が円形歯車１８を回転連動させ、円形歯車１８がリングギア２２を回転連動させ、リングギア２２が回転ブロック２０を回転連動させ、回転ブロック２０がブラシ５６を旋転させ、旋転しているブラシ５６が紙面と接触して円状面積で筆跡を消す。
【００２０】
上記により、本発明の筆跡を早く消せるペンは簡単に操作でき、早くて便利であり、反応が速やかである同時に、簡潔で筆跡を消す効果がよく、実用度が高い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020152092.tif 000003
【図２】
2020152092.tif 000004
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
正面視で、ボディを含み、前記ボディの中にはペン溝が設置され、前記ペン溝の底端には下方に開口した回転チャンバが連通するように設置され、前記ペン溝の左端には第一チャンバが連通するように設置され、前記第一チャンバの中には第一回転軸が回転可能に設置され、前記第一回転軸には第一傘歯車と第一転輪とが固定的に設置され、前記第一チャンバの左側には第二チャンバが設置され、前記第二チャンバの左端には駆動モータが固定的に設置され、前記駆動モータの左端にはスイッチが固定的に設置され、前記スイッチが前記駆動モータを制御でき、前記第一チャンバと前記第二チャンバとの間には第二回転軸が回転可能に設置され、前記第二回転軸と前記駆動モータとが伝動可能に連結され、前記第一チャンバの中の前記第二回転軸の末端には第二傘歯車が固定的に設置され、前記第二傘歯車と前記第一傘歯車とが噛み合っており、前記第二チャンバの中の前記第二回転軸には第一プーリが固定的に設置され、前記第二チャンバの底端には第三チャンバが連通するように設置され、前記第三チャンバと前記回転チャンバとが連通しており、前記第三チャンバの中には第三回転軸が回転可能に設置され、前記第三回転軸には円形歯車と第二プーリが固定的に設置され、前記第二プーリと前記第一プーリとの間にはベルトが伝動可能に設置され、前記回転チャンバの中には回転ブロックが回転可能に設置され、前記回転ブロックの中心のところには上下に貫通した通し溝が設置され、前記回転ブロックの頂端にはリングギアが固定的に設置され、前記リングギアと前記円形歯車とが噛み合っており、前記回転チャンバの頂端には第一環状導電ブロックが固定的に設置され、前記第一環状導電ブロックが前記リングギアの中に位置しており、前記回転ブロックには電磁石が左右対称に設置され、前記電磁石の底端には下方に開口した斜溝が設置され、前記斜溝の中には第一スライダーがスライド可能に設置され、前記第一スライダーの頂端には永久磁石が固定的に設置され、前記永久磁石と前記斜溝の頂壁との間には第一ばねが固定的に連結され、前記第一スライダーの底端にはブラシが固定的に設置され、前記第一スライダーの中には下方に開口した第一液体案内溝が設置され、前記第一液体案内溝と上方に開口した第一貫穴とが連通しており、前記回転ブロックの中には上方に開口した第二液体案内溝が設置され、前記第二液体案内溝が前記斜溝と連通しており、前記第二液体案内溝が前記電磁石の内側に位置しており、
前記ペン溝の右端には第一スライド溝が連通するように設置され、前記第一スライド溝の中には第二スライダーがスライド可能に設置され、前記第二スライダーと前記第一スライド溝の右側端面との間には第二ばねが固定的に連結され、前記第二スライダーには左方に開口した溝が設置され、前記溝の中には第四回転軸が回転可能に設置され、前記第四回転軸には第二転輪が固定的に設置され、前記ペン溝の頂端にはスライド板がスライド可能に設置され、前記スライド板と前記ペン溝の頂面との間には第三ばねが固定的に連結され、前記第二転輪と前記第一転輪との間には替芯を挟持でき、前記替芯と前記スライド板の底面とが接触しており、前記替芯の底端にはスピリング受が固定的に設置され、前記通し溝の中には前記スピリング受の頂面と接触する第二環状導電ブロックがスライド可能に設置され、前記第二環状導電ブロックと前記スライド板との間には第四ばねが固定的に連結され、前記スピリング受の底端にはペン先が固定的に設置され、前記通し溝の左右には第二スライド溝が左右対称に連通するように設置され、前記第二スライド溝の中には円錐形ブロックがスライド可能に設置され、前記円錐形ブロックが前記ペン先を挟持でき、前記円錐形ブロックと前記第二スライド溝の左側端面との間には第五ばねが固定的に連結され、前記スピリング受を上にスライドさせて前記電磁石に通電させ、前記ペン先が上にスライドして前記通し溝の中に収まり、
前記ボディの右端には上方に開口した第四チャンバが設置され、前記第四チャンバの中に筆跡消し瓶を挿入でき、前記筆跡消し瓶の中は筆跡消し液を含み、前記第四チャンバと前記回転チャンバとの間には液体入り溝が連通するように設置され、前記第一環状導電ブロックの右端には第二貫穴が上下に貫通するように設置され、前記第二貫穴が前記液体入り溝と前記第二液体案内溝とを連通していることを特徴とする筆跡を早く消せるペン。
【手続補正２】
【補正対象書類名】明細書
【補正対象項目名】全文
【補正方法】変更
【補正の内容】
【発明の詳細な説明】
【技術分野】
【０００１】
本発明はオフィス用品分野に関し、具体的には筆跡を早く消せるペンに関する。 
【背景技術】
【０００２】
水性ボールペンで書く時、もし誤記があると修正液又は修正テープを使って修正する。しかしその両者を使うと書写の美観度と便利度に影響をもたらす一方、普通の消せるペンは筆跡を消す時手動で筆跡消し液を塗る必要があり、便利とは言えなく、そのため、早く筆跡を消せるペンをデザインする必要がある。 
【先行技術文献】
【特許文献】
【０００３】
【特許文献１】中国特許出願公開第１０６２７４１６８号明細書
【発明の概要】
【発明が解決しようとする課題】
【０００４】
本発明の目的は筆跡を早く消せるペンを提供し、それは上記の現在の技術中の問題を解決できる。 
【課題を解決するための手段】
【０００５】
上記の課題を解決するため、本発明は以下の技術プランを採用する：筆跡を早く消せるペンは、ボディを含み、前記ボディの中にはペン溝が設置され、前記ペン溝の底端には下方に開口した回転チャンバが連通するように設置され、前記ペン溝の左端には第一チャンバが連通するように設置され、前記第一チャンバの中には第一回転軸が回転可能に設置され、前記第一回転軸には第一傘歯車と第一転輪とが固定的に設置され、前記第一チャンバの左側には第二チャンバが設置され、前記第二チャンバの左端には駆動モータが固定的に設置され、前記駆動モータの左端にはスイッチが固定的に設置され、前記スイッチが前記駆動モータを制御でき、前記第一チャンバと前記第二チャンバとの間には第二回転軸が回転可能に設置され、前記第二回転軸と前記駆動モータとが伝動可能に連結され、前記第一チャンバの中の前記第二回転軸の末端には第二傘歯車が固定的に設置され、前記第二傘歯車と前記第一傘歯車とが噛み合っており、前記第二チャンバの中の前記第二回転軸には第一プーリが固定的に設置され、前記第二チャンバの底端には第三チャンバが連通するように設置され、前記第三チャンバと前記回転チャンバとが連通しており、前記第三チャンバの中には第三回転軸が回転可能に設置され、前記第三回転軸には円形歯車と第二プーリが固定的に設置され、前記第二プーリと前記第一プーリとの間にはベルトが伝動可能に設置され、前記回転チャンバの中には回転ブロックが回転可能に設置され、前記回転ブロックの中心のところには上下に貫通した通し溝が設置され、前記回転ブロックの頂端にはリングギアが固定的に設置され、前記リングギアと前記円形歯車とが噛み合っており、前記回転チャンバの頂端には第一環状導電ブロックが固定的に設置され、前記第一環状導電ブロックが前記リングギアの中に位置しており、前記回転ブロックには電磁石が左右対称に設置され、前記電磁石の底端には下方に開口した斜溝が設置され、前記斜溝の中には第一スライダーがスライド可能に設置され、前記第一スライダーの頂端には永久磁石が固定的に設置され、前記永久磁石と前記斜溝の頂壁との間には第一ばねが固定的に連結され、前記第一スライダーの底端にはブラシが固定的に設置され、前記第一スライダーの中には下方に開口した第一液体案内溝が設置され、前記第一液体案内溝と上方に開口した第一貫穴とが連通しており、前記回転ブロックの中には上方に開口した第二液体案内溝が設置され、前記第二液体案内溝が前記斜溝と連通しており、前記第二液体案内溝が前記電磁石の内側に位置している。 
【０００６】
優選的には、前記ペン溝の右端には第一スライド溝が連通するように設置され、前記第一スライド溝の中には第二スライダーがスライド可能に設置され、前記第二スライダーと前記第一スライド溝の右側端面との間には第二ばねが固定的に連結され、前記第二スライダーには左方に開口した溝が設置され、前記溝の中には第四回転軸が回転可能に設置され、前記第四回転軸には第二転輪が固定的に設置され、前記ペン溝の頂端にはスライド板がスライド可能に設置され、前記スライド板と前記ペン溝の頂面との間には第三ばねが固定的に連結され、前記第二転輪と前記第一転輪との間には替芯を挟持でき、前記替芯と前記スライド板の底面とが接触しており、前記替芯の底端にはスピリング受が固定的に設置され、前記通し溝の中には前記スピリング受の頂面と接触する第二環状導電ブロックがスライド可能に設置され、前記第二環状導電ブロックと前記スライド板との間には第四ばねが固定的に連結され、前記スピリング受の底端にはペン先が固定的に設置され、前記通し溝の左右には第二スライド溝が左右対称に連通するように設置され、前記第二スライド溝の中には円錐形ブロックがスライド可能に設置され、前記円錐形ブロックが前記ペン先を挟持でき、前記円錐形ブロックと前記第二スライド溝の左側端面との間には第五ばねが固定的に連結されている。 
【０００７】
前記ボディの右端には上方に開口した第四チャンバが設置され、前記第四チャンバの中に筆跡消し瓶を挿入でき、前記筆跡消し瓶の中は筆跡消し液を含み、前記第四チャンバと前記回転チャンバとの間には液体入り溝が連通するように設置され、前記第一環状導電ブロックの右端には第二貫穴が上下に貫通するように設置され、前記第二貫穴が前記液体入り溝と前記第二液体案内溝とを連通している。 
【発明の効果】
【０００８】
上記により、本発明の筆跡を早く消せるペンは簡単に操作でき、早くて便利であり、反応が速やかである同時に、簡潔で筆跡を消す効果がよく、実用度が高い。 
【図面の簡単な説明】
【０００９】
下記に図１〜２をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１０】
【図１】図１は本発明の筆跡を早く消せるペンの全体構造略図
【図２】図２は図１のＡの拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。 
【００１２】
図１〜２の示すように、本発明の筆跡を早く消せるペンは、ボディ１０を含み、前記ボディ１０の中にはペン溝４５が設置され、前記ペン溝４５の底端には下方に開口した回転チャンバ３２が連通するように設置され、前記ペン溝４５の左端には第一チャンバ５０が連通するように設置され、前記第一チャンバ５０の中には第一回転軸３５が回転可能に設置され、前記第一回転軸３５には第一傘歯車４８と第一転輪３４とが固定的に設置され、前記第一チャンバ５０の左側には第二チャンバ１１が設置され、前記第二チャンバ１１の左端には駆動モータ１３が固定的に設置され、前記駆動モータ１３の左端にはスイッチ１２が固定的に設置され、前記スイッチ１２が前記駆動モータ１３を制御でき、前記第一チャンバ５０と前記第二チャンバ１１との間には第二回転軸１５が回転可能に設置され、前記第二回転軸１５と前記駆動モータ１３とが伝動可能に連結され、前記第一チャンバ５０の中の前記第二回転軸１５の末端には第二傘歯車４９が固定的に設置され、前記第二傘歯車４９と前記第一傘歯車４８とが噛み合っており、前記第二チャンバ１１の中の前記第二回転軸１５には第一プーリ１４が固定的に設置され、前記第二チャンバ１１の底端には第三チャンバ１７が連通するように設置され、前記第三チャンバ１７と前記回転チャンバ３２とが連通しており、前記第三チャンバ１７の中には第三回転軸１９が回転可能に設置され、前記第三回転軸１９には円形歯車１８と第二プーリ２１が固定的に設置され、前記第二プーリ２１と前記第一プーリ１４との間にはベルト１６が伝動可能に設置され、前記回転チャンバ３２の中には回転ブロック２０が回転可能に設置され、前記回転ブロック２０の中心のところには上下に貫通した通し溝２５が設置され、前記回転ブロック２０の頂端にはリングギア２２が固定的に設置され、前記リングギア２２と前記円形歯車１８とが噛み合っており、前記回転チャンバ３２の頂端には第一環状導電ブロック３０が固定的に設置され、前記第一環状導電ブロック３０が前記リングギア２２の中に位置しており、前記回転ブロック２０には電磁石２３が左右対称に設置され、前記電磁石２３の底端には下方に開口した斜溝５７が設置され、前記斜溝５７の中には第一スライダー５５がスライド可能に設置され、前記第一スライダー５５の頂端には永久磁石５２が固定的に設置され、前記永久磁石５２と前記斜溝５７の頂壁との間には第一ばね５１が固定的に連結され、前記第一スライダー５５の底端にはブラシ５６が固定的に設置され、前記第一スライダー５５の中には下方に開口した第一液体案内溝５４が設置され、前記第一液体案内溝５４と上方に開口した第一貫穴５３とが連通しており、前記回転ブロック２０の中には上方に開口した第二液体案内溝６１が設置され、前記第二液体案内溝６１が前記斜溝５７と連通しており、前記第二液体案内溝６１が前記電磁石２３の内側に位置している。
【００１３】
有益的には、前記ペン溝４５の右端には第一スライド溝４１が連通するように設置され、前記第一スライド溝４１の中には第二スライダー３６がスライド可能に設置され、前記第二スライダー３６と前記第一スライド溝４１の右側端面との間には第二ばね４０が固定的に連結され、前記第二スライダー３６には左方に開口した溝３７が設置され、前記溝３７の中には第四回転軸３９が回転可能に設置され、前記第四回転軸３９には第二転輪３８が固定的に設置され、前記ペン溝４５の頂端にはスライド板４６がスライド可能に設置され、前記スライド板４６と前記ペン溝４５の頂面との間には第三ばね４７が固定的に連結され、前記第二転輪３８と前記第一転輪３４との間には替芯２７を挟持でき、前記替芯２７と前記スライド板４６の底面とが接触しており、前記替芯２７の底端にはスピリング受２６が固定的に設置され、前記通し溝２５の中には前記スピリング受２６の頂面と接触する第二環状導電ブロック２８がスライド可能に設置され、前記第二環状導電ブロック２８と前記スライド板４６との間には第四ばね２９が固定的に連結され、前記スピリング受２６の底端にはペン先２４が固定的に設置され、前記通し溝２５の左右には第二スライド溝５８が左右対称に連通するように設置され、前記第二スライド溝５８の中には円錐形ブロック５９がスライド可能に設置され、前記円錐形ブロック５９が前記ペン先２４を挟持でき、前記円錐形ブロック５９と前記第二スライド溝５８の左側端面との間には第五ばね６０が固定的に連結され、 
前記スピリング受２６を上にスライドさせて前記電磁石２３に通電させ、前記ペン先２４が上にスライドして前記通し溝２５の中に収まる。 
【００１４】
有益的には、前記ボディ１０の右端には上方に開口した第四チャンバ４２が設置され、前記第四チャンバ４２の中に筆跡消し瓶４３を挿入でき、前記筆跡消し瓶４３の中は筆跡消し液４４を含み、前記第四チャンバ４２と前記回転チャンバ３２との間には液体入り溝３３が連通するように設置され、前記第一環状導電ブロック３０の右端には第二貫穴３１が上下に貫通するように設置され、前記第二貫穴３１が前記液体入り溝３３と前記第二液体案内溝６１とを連通している。 
【００１５】
下記、図１〜２及び上記の本発明の具体的な構成を合わせて使用方法を紹介する： 
【００１６】
初期状態の時、リングギア２２が永久磁石５２を吸引し、第一貫穴５３が第二液体案内溝６１と連通していない。 
【００１７】
本発明のペンを使って筆跡を消す前に、筆跡消し瓶４３を第四チャンバ４２の中に装着し、替芯２７をペン溝４５の中に挿入してスライド板４６と接触させ、第一環状導電ブロック３０と電磁石２３とが終始に接触する。 
【００１８】
誤記があると、ボディ１０を少し上げ、スイッチ１２を押し、スイッチ１２が駆動モータ１３を起動し、駆動モータ１３が第二回転軸１５を旋転連動させ、第二回転軸１５が第二傘歯車４９と第一プーリ１４とを回転連動させ、第二傘歯車４９が第一傘歯車４８を回転連動させ、第一傘歯車４８が第一転輪３４を回転連動させ、第一転輪３４が回転して替芯２７を上にスライド連動させ、替芯２７がスピリング受２６とペン先２４とを上にスライド連動させ、この時ペン先が通し溝２５の中に納まり、スピリング受２６が第二環状導電ブロック２８を連動させて第一環状導電ブロック３０と接触させ、電磁石２３が電気回路を形成し、電磁石２３が通電して永久磁石５２に反発し、永久磁石５２が第一スライダー５５を下に連動させて斜溝５７から伸び出させ、第一貫穴５３が第二液体案内溝６１に連通し、筆跡消し液４４が第一貫穴５３を経由して第一液体案内溝５４の中に入り、ブラシ５６が筆跡消し液４４で濡れ、この時ブラシ５６が筆跡を消せる。 
【００１９】
それと同時に、第一プーリ１４がベルト１６により第二プーリ２１を回転連動させ、第二プーリ２１が円形歯車１８を回転連動させ、円形歯車１８がリングギア２２を回転連動させ、リングギア２２が回転ブロック２０を回転連動させ、回転ブロック２０がブラシ５６を旋転させ、旋転しているブラシ５６が紙面と接触して円状面積で筆跡を消す。 
【００２０】
上記により、本発明の筆跡を早く消せるペンは簡単に操作でき、早くて便利であり、反応が速やかである同時に、簡潔で筆跡を消す効果がよく、実用度が高い。 
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
正面視で、ボディを含み、前記ボディの中にはペン溝が設置され、前記ペン溝の底端には下方に開口した回転チャンバが連通するように設置され、前記ペン溝の左端には第一チャンバが連通するように設置され、前記第一チャンバの中には第一回転軸が回転可能に設置され、前記第一回転軸には第一傘歯車と第一転輪とが固定的に設置され、前記第一チャンバの左側には第二チャンバが設置され、前記第二チャンバの左端には駆動モータが固定的に設置され、前記駆動モータの左端にはスイッチが固定的に設置され、前記スイッチが前記駆動モータを制御でき、前記第一チャンバと前記第二チャンバとの間には第二回転軸が回転可能に設置され、前記第二回転軸と前記駆動モータとが伝動可能に連結され、前記第一チャンバの中の前記第二回転軸の末端には第二傘歯車が固定的に設置され、前記第二傘歯車と前記第一傘歯車とが噛み合っており、前記第二チャンバの中の前記第二回転軸には第一プーリが固定的に設置され、前記第二チャンバの底端には第三チャンバが連通するように設置され、前記第三チャンバと前記回転チャンバとが連通しており、前記第三チャンバの中には第三回転軸が回転可能に設置され、前記第三回転軸には円形歯車と第二プーリが固定的に設置され、前記第二プーリと前記第一プーリとの間にはベルトが伝動可能に設置され、前記回転チャンバの中には回転ブロックが回転可能に設置され、前記回転ブロックの中心のところには上下に貫通した通し溝が設置され、前記回転ブロックの頂端にはリングギアが固定的に設置され、前記リングギアと前記円形歯車とが噛み合っており、前記回転チャンバの頂端には第一環状導電ブロックが固定的に設置され、前記第一環状導電ブロックが前記リングギアの中に位置しており、前記回転ブロックには電磁石が左右対称に設置され、前記電磁石の底端には下方に開口した斜溝が設置され、前記斜溝の中には第一スライダーがスライド可能に設置され、前記第一スライダーの頂端には永久磁石が固定的に設置され、前記永久磁石は前記電磁石が通電すると前記電磁石と互いに反発し、前記永久磁石と前記斜溝の頂壁との間には第一ばねが固定的に連結され、前記第一スライダーの底端にはブラシが固定的に設置され、前記第一スライダーの中には下方に開口した第一液体案内溝が設置され、前記第一液体案内溝と上方に開口した第一貫穴とが連通しており、前記回転ブロックの中には上方に開口した第二液体案内溝が設置され、前記第一貫穴は前記第一スライダーに連動して移動した後に前記第二液体案内溝と前記第一液体案内溝とを連通させることができ、前記第二液体案内溝が前記斜溝と連通しており、前記第二液体案内溝が前記電磁石の内側に位置しており、
前記ペン溝の右端には第一スライド溝が連通するように設置され、前記第一スライド溝の中には第二スライダーがスライド可能に設置され、前記第二スライダーと前記第一スライド溝の右側端面との間には第二ばねが固定的に連結され、前記第二スライダーには左方に開口した溝が設置され、前記溝の中には第四回転軸が回転可能に設置され、前記第四回転軸には第二転輪が固定的に設置され、前記ペン溝の頂端にはスライド板がスライド可能に設置され、前記スライド板と前記ペン溝の頂面との間には第三ばねが固定的に連結され、前記第二転輪と前記第一転輪との間には替芯を挟持でき、前記替芯と前記スライド板の底面とが接触しており、前記替芯の底端にはスピリング受が固定的に設置され、前記通し溝の中には前記スピリング受の頂面と接触する第二環状導電ブロックがスライド可能に設置され、前記第二環状導電ブロックと前記スライド板との間には第四ばねが固定的に連結され、前記スピリング受の底端にはペン先が固定的に設置され、前記通し溝の左右には第二スライド溝が左右対称に連通するように設置され、前記第二スライド溝の中には円錐形ブロックがスライド可能に設置され、前記円錐形ブロックが前記ペン先を挟持でき、前記円錐形ブロックと前記第二スライド溝の左側端面との間には第五ばねが固定的に連結され、前記スピリング受を上にスライドさせて前記電磁石に通電させ、前記ペン先が上にスライドして前記通し溝の中に収まり、
前記ボディの右端には上方に開口した第四チャンバが設置され、前記第四チャンバの中に筆跡消し瓶を挿入でき、前記筆跡消し瓶の中は筆跡消し液を含み、前記第四チャンバと前記回転チャンバとの間には液体入り溝が連通するように設置され、前記第一環状導電ブロックの右端には第二貫穴が上下に貫通するように設置され、前記第二貫穴が前記液体入り溝と前記第二液体案内溝とを連通し、
前記スイッチが前記駆動モータを起動し、前記駆動モータが前記第二回転軸を旋転連動させ、前記第二回転軸が前記第二傘歯車と前記第一プーリとを回転連動させ、前記第二傘歯車が前記第一傘歯車を回転連動させ、前記第一傘歯車が前記第一転輪を回転連動させ、前記第一転輪が回転して前記替芯を上にスライド連動させ、前記替芯が前記スピリング受と前記ペン先とを上にスライド連動させ、この時前記ペン先が前記通し溝の中に納まり、前記スピリング受が前記第二環状導電ブロックを連動させて前記第一環状導電ブロックと接触させ、前記電磁石が電気回路を形成し、前記電磁石が通電して前記永久磁石に反発し、前記永久磁石が前記第一スライダーを下に連動させて前記斜溝から伸び出させ、前記第一貫穴が前記第二液体案内溝に連通し、前記筆跡消し液が前記第一貫穴を経由して前記第一液体案内溝の中に入ることを特徴とする筆跡を早く消せるペン。
【手続補正２】
【補正対象書類名】明細書
【補正対象項目名】全文
【補正方法】変更
【補正の内容】
【発明の詳細な説明】
【技術分野】
【０００１】
本発明はオフィス用品分野に関し、具体的には筆跡を早く消せるペンに関する。 
【背景技術】
【０００２】
水性ボールペンで書く時、もし誤記があると修正液又は修正テープを使って修正する。しかしその両者を使うと書写の美観度と便利度に影響をもたらす一方、普通の消せるペンは筆跡を消す時手動で筆跡消し液を塗る必要があり、便利とは言えなく、そのため、早く筆跡を消せるペンをデザインする必要がある。 
【先行技術文献】
【特許文献】
【０００３】
【特許文献１】中国特許出願公開第１０６２７４１６８号明細書
【発明の概要】
【発明が解決しようとする課題】
【０００４】
本発明の目的は筆跡を早く消せるペンを提供し、それは上記の現在の技術中の問題を解決できる。 
【課題を解決するための手段】
【０００５】
上記の課題を解決するため、本発明は以下の技術プランを採用する：筆跡を早く消せるペンは、ボディを含み、前記ボディの中にはペン溝が設置され、前記ペン溝の底端には下方に開口した回転チャンバが連通するように設置され、前記ペン溝の左端には第一チャンバが連通するように設置され、前記第一チャンバの中には第一回転軸が回転可能に設置され、前記第一回転軸には第一傘歯車と第一転輪とが固定的に設置され、前記第一チャンバの左側には第二チャンバが設置され、前記第二チャンバの左端には駆動モータが固定的に設置され、前記駆動モータの左端にはスイッチが固定的に設置され、前記スイッチが前記駆動モータを制御でき、前記第一チャンバと前記第二チャンバとの間には第二回転軸が回転可能に設置され、前記第二回転軸と前記駆動モータとが伝動可能に連結され、前記第一チャンバの中の前記第二回転軸の末端には第二傘歯車が固定的に設置され、前記第二傘歯車と前記第一傘歯車とが噛み合っており、前記第二チャンバの中の前記第二回転軸には第一プーリが固定的に設置され、前記第二チャンバの底端には第三チャンバが連通するように設置され、前記第三チャンバと前記回転チャンバとが連通しており、前記第三チャンバの中には第三回転軸が回転可能に設置され、前記第三回転軸には円形歯車と第二プーリが固定的に設置され、前記第二プーリと前記第一プーリとの間にはベルトが伝動可能に設置され、前記回転チャンバの中には回転ブロックが回転可能に設置され、前記回転ブロックの中心のところには上下に貫通した通し溝が設置され、前記回転ブロックの頂端にはリングギアが固定的に設置され、前記リングギアと前記円形歯車とが噛み合っており、前記回転チャンバの頂端には第一環状導電ブロックが固定的に設置され、前記第一環状導電ブロックが前記リングギアの中に位置しており、前記回転ブロックには電磁石が左右対称に設置され、前記電磁石の底端には下方に開口した斜溝が設置され、前記斜溝の中には第一スライダーがスライド可能に設置され、前記第一スライダーの頂端には永久磁石が固定的に設置され、前記永久磁石は前記電磁石が通電すると前記電磁石と互いに反発し、前記永久磁石と前記斜溝の頂壁との間には第一ばねが固定的に連結され、前記第一スライダーの底端にはブラシが固定的に設置され、前記第一スライダーの中には下方に開口した第一液体案内溝が設置され、前記第一液体案内溝と上方に開口した第一貫穴とが連通しており、前記回転ブロックの中には上方に開口した第二液体案内溝が設置され、前記第一貫穴は前記第一スライダーに連動して移動した後に前記第二液体案内溝と前記第一液体案内溝とを連通させることができ、前記第二液体案内溝が前記斜溝と連通しており、前記第二液体案内溝が前記電磁石の内側に位置している。 
【０００６】
優選的には、前記ペン溝の右端には第一スライド溝が連通するように設置され、前記第一スライド溝の中には第二スライダーがスライド可能に設置され、前記第二スライダーと前記第一スライド溝の右側端面との間には第二ばねが固定的に連結され、前記第二スライダーには左方に開口した溝が設置され、前記溝の中には第四回転軸が回転可能に設置され、前記第四回転軸には第二転輪が固定的に設置され、前記ペン溝の頂端にはスライド板がスライド可能に設置され、前記スライド板と前記ペン溝の頂面との間には第三ばねが固定的に連結され、前記第二転輪と前記第一転輪との間には替芯を挟持でき、前記替芯と前記スライド板の底面とが接触しており、前記替芯の底端にはスピリング受が固定的に設置され、前記通し溝の中には前記スピリング受の頂面と接触する第二環状導電ブロックがスライド可能に設置され、前記第二環状導電ブロックと前記スライド板との間には第四ばねが固定的に連結され、前記スピリング受の底端にはペン先が固定的に設置され、前記通し溝の左右には第二スライド溝が左右対称に連通するように設置され、前記第二スライド溝の中には円錐形ブロックがスライド可能に設置され、前記円錐形ブロックが前記ペン先を挟持でき、前記円錐形ブロックと前記第二スライド溝の左側端面との間には第五ばねが固定的に連結されている。 
【０００７】
前記ボディの右端には上方に開口した第四チャンバが設置され、前記第四チャンバの中に筆跡消し瓶を挿入でき、前記筆跡消し瓶の中は筆跡消し液を含み、前記第四チャンバと前記回転チャンバとの間には液体入り溝が連通するように設置され、前記第一環状導電ブロックの右端には第二貫穴が上下に貫通するように設置され、前記第二貫穴が前記液体入り溝と前記第二液体案内溝とを連通している。 
【発明の効果】
【０００８】
上記により、本発明の筆跡を早く消せるペンは簡単に操作でき、早くて便利であり、反応が速やかである同時に、簡潔で筆跡を消す効果がよく、実用度が高い。 
【図面の簡単な説明】
【０００９】
下記に図１〜２をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１０】
【図１】図１は本発明の筆跡を早く消せるペンの全体構造略図
【図２】図２は図１のＡの拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。 
【００１２】
図１〜２の示すように、本発明の筆跡を早く消せるペンは、ボディ１０を含み、前記ボディ１０の中にはペン溝４５が設置され、前記ペン溝４５の底端には下方に開口した回転チャンバ３２が連通するように設置され、前記ペン溝４５の左端には第一チャンバ５０が連通するように設置され、前記第一チャンバ５０の中には第一回転軸３５が回転可能に設置され、前記第一回転軸３５には第一傘歯車４８と第一転輪３４とが固定的に設置され、前記第一チャンバ５０の左側には第二チャンバ１１が設置され、前記第二チャンバ１１の左端には駆動モータ１３が固定的に設置され、前記駆動モータ１３の左端にはスイッチ１２が固定的に設置され、前記スイッチ１２が前記駆動モータ１３を制御でき、前記第一チャンバ５０と前記第二チャンバ１１との間には第二回転軸１５が回転可能に設置され、前記第二回転軸１５と前記駆動モータ１３とが伝動可能に連結され、前記第一チャンバ５０の中の前記第二回転軸１５の末端には第二傘歯車４９が固定的に設置され、前記第二傘歯車４９と前記第一傘歯車４８とが噛み合っており、前記第二チャンバ１１の中の前記第二回転軸１５には第一プーリ１４が固定的に設置され、前記第二チャンバ１１の底端には第三チャンバ１７が連通するように設置され、前記第三チャンバ１７と前記回転チャンバ３２とが連通しており、前記第三チャンバ１７の中には第三回転軸１９が回転可能に設置され、前記第三回転軸１９には円形歯車１８と第二プーリ２１が固定的に設置され、前記第二プーリ２１と前記第一プーリ１４との間にはベルト１６が伝動可能に設置され、前記回転チャンバ３２の中には回転ブロック２０が回転可能に設置され、前記回転ブロック２０の中心のところには上下に貫通した通し溝２５が設置され、前記回転ブロック２０の頂端にはリングギア２２が固定的に設置され、前記リングギア２２と前記円形歯車１８とが噛み合っており、前記回転チャンバ３２の頂端には第一環状導電ブロック３０が固定的に設置され、前記第一環状導電ブロック３０が前記リングギア２２の中に位置しており、前記回転ブロック２０には電磁石２３が左右対称に設置され、前記電磁石２３の底端には下方に開口した斜溝５７が設置され、前記斜溝５７の中には第一スライダー５５がスライド可能に設置され、前記第一スライダー５５の頂端には永久磁石５２が固定的に設置され、前記永久磁石５２は前記電磁石２３が通電すると前記電磁石２３と互いに反発し、前記永久磁石５２と前記斜溝５７の頂壁との間には第一ばね５１が固定的に連結され、前記第一スライダー５５の底端にはブラシ５６が固定的に設置され、前記第一スライダー５５の中には下方に開口した第一液体案内溝５４が設置され、前記第一液体案内溝５４と上方に開口した第一貫穴５３とが連通しており、前記回転ブロック２０の中には上方に開口した第二液体案内溝６１が設置され、前記第一貫穴５３は前記第一スライダー５５に連動して移動した後に前記第二液体案内溝６１と前記第一液体案内溝５４とを連通させることができ、前記第二液体案内溝６１が前記斜溝５７と連通しており、前記第二液体案内溝６１が前記電磁石２３の内側に位置している。 
【００１３】
有益的には、前記ペン溝４５の右端には第一スライド溝４１が連通するように設置され、前記第一スライド溝４１の中には第二スライダー３６がスライド可能に設置され、前記第二スライダー３６と前記第一スライド溝４１の右側端面との間には第二ばね４０が固定的に連結され、前記第二スライダー３６には左方に開口した溝３７が設置され、前記溝３７の中には第四回転軸３９が回転可能に設置され、前記第四回転軸３９には第二転輪３８が固定的に設置され、前記ペン溝４５の頂端にはスライド板４６がスライド可能に設置され、前記スライド板４６と前記ペン溝４５の頂面との間には第三ばね４７が固定的に連結され、前記第二転輪３８と前記第一転輪３４との間には替芯２７を挟持でき、前記替芯２７と前記スライド板４６の底面とが接触しており、前記替芯２７の底端にはスピリング受２６が固定的に設置され、前記通し溝２５の中には前記スピリング受２６の頂面と接触する第二環状導電ブロック２８がスライド可能に設置され、前記第二環状導電ブロック２８と前記スライド板４６との間には第四ばね２９が固定的に連結され、前記スピリング受２６の底端にはペン先２４が固定的に設置され、前記通し溝２５の左右には第二スライド溝５８が左右対称に連通するように設置され、前記第二スライド溝５８の中には円錐形ブロック５９がスライド可能に設置され、前記円錐形ブロック５９が前記ペン先２４を挟持でき、前記円錐形ブロック５９と前記第二スライド溝５８の左側端面との間には第五ばね６０が固定的に連結され、 
前記スピリング受２６を上にスライドさせて前記電磁石２３に通電させ、前記ペン先２４が上にスライドして前記通し溝２５の中に収まる。 
【００１４】
有益的には、前記ボディ１０の右端には上方に開口した第四チャンバ４２が設置され、前記第四チャンバ４２の中に筆跡消し瓶４３を挿入でき、前記筆跡消し瓶４３の中は筆跡消し液４４を含み、前記第四チャンバ４２と前記回転チャンバ３２との間には液体入り溝３３が連通するように設置され、前記第一環状導電ブロック３０の右端には第二貫穴３１が上下に貫通するように設置され、前記第二貫穴３１が前記液体入り溝３３と前記第二液体案内溝６１とを連通している。 
【００１５】
下記、図１〜２及び上記の本発明の具体的な構成を合わせて使用方法を紹介する： 
【００１６】
初期状態の時、リングギア２２が永久磁石５２を吸引し、第一貫穴５３が第二液体案内溝６１と連通していない。 
【００１７】
本発明のペンを使って筆跡を消す前に、筆跡消し瓶４３を第四チャンバ４２の中に装着し、替芯２７をペン溝４５の中に挿入してスライド板４６と接触させ、第一環状導電ブロック３０と電磁石２３とが終始に接触する。 
【００１８】
誤記があると、ボディ１０を少し上げ、スイッチ１２を押し、スイッチ１２が駆動モータ１３を起動し、駆動モータ１３が第二回転軸１５を旋転連動させ、第二回転軸１５が第二傘歯車４９と第一プーリ１４とを回転連動させ、第二傘歯車４９が第一傘歯車４８を回転連動させ、第一傘歯車４８が第一転輪３４を回転連動させ、第一転輪３４が回転して替芯２７を上にスライド連動させ、替芯２７がスピリング受２６とペン先２４とを上にスライド連動させ、この時ペン先が通し溝２５の中に納まり、スピリング受２６が第二環状導電ブロック２８を連動させて第一環状導電ブロック３０と接触させ、電磁石２３が電気回路を形成し、電磁石２３が通電して永久磁石５２に反発し、永久磁石５２が第一スライダー５５を下に連動させて斜溝５７から伸び出させ、第一貫穴５３が第二液体案内溝６１に連通し、筆跡消し液４４が第一貫穴５３を経由して第一液体案内溝５４の中に入り、ブラシ５６が筆跡消し液４４で濡れ、この時ブラシ５６が筆跡を消せる。 
【００１９】
それと同時に、第一プーリ１４がベルト１６により第二プーリ２１を回転連動させ、第二プーリ２１が円形歯車１８を回転連動させ、円形歯車１８がリングギア２２を回転連動させ、リングギア２２が回転ブロック２０を回転連動させ、回転ブロック２０がブラシ５６を旋転させ、旋転しているブラシ５６が紙面と接触して円状面積で筆跡を消す。 
【００２０】
上記により、本発明の筆跡を早く消せるペンは簡単に操作でき、早くて便利であり、反応が速やかである同時に、簡潔で筆跡を消す効果がよく、実用度が高い。 
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。